(57)【特許請求の範囲】
【請求項１】
所定条件が成立することに基づいて発生する利益状態中に、遊技球が入賞不可能又は入賞困難な閉状態から入賞可能又は入賞容易な開状態に切り換えられる開閉式入賞手段と、
遊技球の入賞に基づいて遊技球を払い出す払い出し手段と、
遊技球を貯留する貯留皿と、
該貯留皿内に遊技球が満杯となった皿満杯状態を検出する皿満杯状態検出手段と、
該皿満杯状態検出手段により前記皿満杯状態が検出されることを条件に皿満杯エラーを報知する皿満杯エラー報知手段と
を備えた弾球遊技機において、
前記皿満杯エラー報知手段は、遊技者の視覚を通じて報知する視覚的報知手段と、遊技者の聴覚を通じて報知する聴覚的報知手段とを備え、
前記利益状態中以外の通常状態中は、前記利益状態中に比べて小音量且つ短時間で前記聴覚的報知手段による報知を行うように構成した
ことを特徴とする弾球遊技機。
【発明の詳細な説明】
【技術分野】
【０００１】
本発明は、パチンコ機等の弾球遊技機に係り、詳しくは、貯留皿内に遊技球が満杯となったときにその旨を警告音等により遊技者に報知するように構成された弾球遊技機に関するものである。
【背景技術】
【０００２】
パチンコ機等の弾球遊技機には、遊技球を払い出す払い出し手段が搭載されており、遊技球が入賞手段に入賞して賞球の払い出し要求があったとき、或いは自動球貸し機から球貸し要求があったとき、払い出し手段が作動して所定個数の遊技球が貯留皿に払い出されるようになっている。
【０００３】
また、貯留皿の上流側には、皿満杯状態を検出する皿満杯状態検出手段が設けられており、この皿満杯状態検出手段により皿満杯状態が検出された場合には、皿満杯エラーとなり、払い出し動作が停止されると共に例えば液晶表示手段への警告表示やスピーカからの警告音等により遊技者に報知されるようになっている（例えば特許文献１）。
【先行技術文献】
【特許文献】
【０００４】
【特許文献１】特開２００７−１３６０４６号公報
【発明の概要】
【発明が解決しようとする課題】
【０００５】
ところで、遊技者の心理状態は遊技状態によって大きく変わるため、同じように皿満杯エラーの警告音が鳴っても、それが利益状態中か通常状態中かによって遊技者の受ける印象は大きく異なってくる。
【０００６】
例えば、払い出しが頻繁に発生する利益状態中に皿満杯エラーの警告音が鳴っても、それによって気分を損ねる遊技者は少ないが、払い出しが比較的少なく、皿満杯になったとしても短時間で解消される場合が多い通常状態中に皿満杯エラーの警告音が鳴ると、気分を大きく損ねてしまう遊技者が多いと考えられる。
【０００７】
また、いわゆる１円パチンコの場合、同じ金額で一般のパチンコ機の４倍の貸し球が払い出されるため、貸し球の払い出しによる皿満杯エラーが頻発することが考えられるが、そのような貸し球払い出しによる皿満杯エラーの度に警告音を鳴らすと、当該遊技者だけでなく周囲の遊技者にも不快な思いをさせてしまうという問題がある。
【０００８】
本発明は、上記事情に鑑みてなされたものであり、その目的とするところは、遊技者になるべく不快な思いをさせないで皿満杯の報知を効果的に行うことが可能な弾球遊技機を提供することにある。
【課題を解決するための手段】
【０００９】
本発明は、所定条件が成立することに基づいて発生する利益状態中に、遊技球が入賞不可能又は入賞困難な閉状態から入賞可能又は入賞容易な開状態に切り換えられる開閉式入賞手段１７と、遊技球の入賞に基づいて遊技球を払い出す払い出し手段４０と、遊技球を貯留する貯留皿９と、該貯留皿９内に遊技球が満杯となった皿満杯状態を検出する皿満杯状態検出手段４２と、該皿満杯状態検出手段４２により前記皿満杯状態が検出されることを条件に皿満杯エラーを報知する皿満杯エラー報知手段２０，７４とを備えた弾球遊技機において、前記皿満杯エラー報知手段２０，７４は、遊技者の視覚を通じて報知する視覚的報知手段２０と、遊技者の聴覚を通じて報知する聴覚的報知手段７４とを備え、前記利益状態中以外の通常状態中は、前記利益状態中に比べて小音量且つ短時間で前記聴覚的報知手段７４による報知を行うように構成したものである。
【発明の効果】
【００１０】
本発明によれば、通常状態中は聴覚的報知手段７４による報知、即ち警告音等が抑制されるため、遊技者を必要以上に不快にさせることはない。また、例えばいわゆる一円パチンコの場合でも、貸し球の払い出しによって皿満杯エラーの警告音が頻発することがなく、当該遊技者や周囲の遊技者は気分よく遊技を行うことができる。
【図面の簡単な説明】
【００１１】
【図１】本発明の第１の実施形態を示すパチンコ機の全体正面図である。
【図２】同パチンコ機の背面図である。
【図３】同パチンコ機の制御系のブロック図である。
【図４】状態管理処理のフローチャートである。
【図５】エラーシナリオ管理処理のフローチャートである。
【図６】エラーシナリオの一例を示す説明図である。
【図７】本発明の第２の実施形態を示すエラーシナリオの一例を示す説明図である。
【図８】本発明の第３の実施形態を示すエラーシナリオの一例を示す説明図である。
【図９】本発明の第４の実施形態を示す状態管理処理のフローチャートである。
【図１０】本発明の第５の実施形態を示すエラーシナリオ管理処理のフローチャートである。
【発明を実施するための形態】
【００１２】
以下、本発明の実施形態を図面に基づいて詳述する。図１〜図６は本発明をパチンコ機に採用した第１の実施形態を例示している。図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。
【００１３】
前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジ（図示省略）により前枠３に開閉自在に枢支されている。前面開閉板７には、その前側に、発射手段８に供給するための遊技球を貯留する貯留皿９、発射手段８を作動させるための発射ハンドル１０等が設けられている。
【００１４】
遊技盤５の前側には、発射手段８により発射された遊技球を案内するガイドレール１１が略環状に装着されると共に、そのガイドレール１１内の遊技領域１２には、センターケース１４、普通図柄始動手段１５、特別図柄始動手段１６、大入賞手段１７、普通入賞手段１８等の各種遊技部品が配置されている。
【００１５】
センターケース１４には、演出図柄表示手段２１等を構成する液晶表示手段２０の他、普通図柄表示手段２２、特別図柄表示手段２３、普通保留個数表示手段２４、特別保留個数表示手段２５、特別遊技状態表示手段２６等が設けられている。
【００１６】
普通図柄表示手段２２は、普通図柄を変動表示するためのもので、例えば「○」「×」の２種類の普通図柄に対応する２個の発光体（例えばＬＥＤ）により構成されており、通過ゲート等よりなる普通図柄始動手段１５が遊技球を検出することを条件にそれら２つの発光体が所定時間交互に点滅して、普通図柄始動手段１５による遊技球検出時に取得された当たり判定用乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００１７】
また、普通図柄表示手段２２の変動表示中、又は後述する普通利益状態中に普通図柄始動手段１５が遊技球を検出した場合には、その検出時に取得された当たり判定用乱数値が予め定められた上限保留個数、例えば４個を限度として記憶されると共に、例えば上限保留個数と同数の発光体よりなる普通保留個数表示手段２４がその発光個数により当たり判定用乱数値の記憶個数（以下、普通保留個数）を表示して、その時点での普通保留個数を遊技者に報知するようになっている。
【００１８】
特別図柄始動手段１６は、特別図柄表示手段２３による図柄変動を開始させるためのもので、上下２つの始動入賞口２７，２８と、下始動入賞口２８を開閉する開閉手段２９とを備え、センターケース１４の下側に配置されている。
【００１９】
上始動入賞口２７は開閉手段等を有しない非作動式入賞口である。下始動入賞口２８は、開閉手段２９により開閉可能な作動式入賞口で、普通図柄表示手段２２の変動後の停止図柄が当たり態様となって普通利益状態が発生したときに所定時間開状態に切り替えられるように構成されている。
【００２０】
特別図柄表示手段２３は、１個又は複数個、例えば１個の特別図柄を変動表示可能な７セグメント式等の表示手段により構成されており、特別図柄始動手段１６が遊技球を検出すること、即ち特別図柄始動手段１６の上始動入賞口２７又は下始動入賞口２８に遊技球が入賞することを条件に特別図柄を所定時間変動表示して、上始動入賞口２７又は下始動入賞口２８への入賞時に取得された大当たり判定乱数値が予め定められた大当たり判定値と一致する場合には所定の大当たり態様で、それ以外の場合には外れ態様で停止するようになっている。
【００２１】
特別図柄には、例えば１０種類の数字図柄「０」〜「９」と記号図柄「−」とが用いられており、「０」〜「９」が大当たり態様、「−」が外れ態様に設定されている。また、特別図柄の変動表示中、又は後述する特別利益状態中に上始動入賞口２７又は下始動入賞口２８に遊技球が入賞した場合には、その入賞時に取得された大当たり判定乱数値等が所定の上限保留個数、例えば４個を限度として記憶されると共に、例えば上限保留個数と同数の発光体よりなる特別保留個数表示手段２５がその発光個数により大当たり判定乱数値の記憶個数（以下、特別保留個数）を表示して、その時点での特別保留個数を遊技者に報知するようになっている。
【００２２】
特別遊技状態表示手段２６は、いわゆる確変、時短等の特別遊技状態の発生とその種類とを表示するためのもので、例えば「確変」「時短」の２種類の特別遊技状態に対応する２個の発光体により構成されており、特別図柄表示手段２３の変動後の特別図柄が大当たり態様となること（所定条件の成立の一例）に基づいて発生する特別利益状態（大当たり状態）の終了後に特別遊技状態が発生したときに、その特別遊技状態の種類に対応して何れかの発光体を発光させるようになっている。
【００２３】
演出図柄表示手段２１は、特別図柄表示手段２３による特別図柄の変動表示と時間的に同調して演出図柄を変動表示するもので、１個又は複数個、例えば左右方向に３個の演出図柄を例えば各種の演出画像と共に変動表示可能に構成されており、特別図柄始動手段１６が遊技球を検出すること、即ち特別図柄始動手段１６の上始動入賞口２７又は下始動入賞口２８に遊技球が入賞することを条件に、特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。
【００２４】
演出図柄には、例えば「０」〜「９」の１０種類の数字図柄が用いられ、「６・６・６」「７・７・７」等、３つの図柄が全て同じ図柄で揃ったものが大当たり態様、少なくとも１つの図柄が異なるものが外れ態様となっている。
【００２５】
なお、演出図柄表示手段２１による演出図柄の変動後の停止図柄は、特別図柄表示手段２３による特別図柄が大当たり態様で停止する場合にはその特別図柄と同じ数字図柄よりなる大当たり態様となり、特別図柄が外れ態様で停止する場合には任意の外れ態様となる。例えば、特別図柄が「７」で停止する場合には演出図柄は「７・７・７」で停止し、特別図柄が「−」で停止する場合には演出図柄は「３・４・３」等の任意の外れ態様で停止するようになっている。
【００２６】
大入賞手段（開閉式入賞手段）１７は、遊技球が入賞可能な開状態と入賞不可能な閉状態とに変化可能な開閉板３０を備えた作動式であって、特別図柄表示手段２３の変動後の特別図柄が大当たり態様となることに基づいて特別利益状態（大当たり状態）が発生したときに、開閉板３０が前側に所定時間開放して、その上に落下した遊技球を内部へと入賞させるように構成されている。
【００２７】
なお、大入賞手段１７は、その開放から所定時間（例えば２８秒間）が経過するか、所定時間内に所定数（例えば１０個）の遊技球が入賞すること等の所定条件の成立によりそのラウンドを終了して閉鎖すると共に、その開放動作（ラウンド）を所定回数（例えば１５ラウンド）繰り返すようになっている。
【００２８】
また、遊技盤５の裏面側には、図２に示すように、センターケース１４等の遊技部品を後側から覆う裏カバー３１が装着され、この裏カバー３１の背面側に、主制御基板３２が格納された主基板ケース３３、演出制御基板３４が格納された演出基板ケース３５、液晶制御基板３６が格納された液晶基板ケース３７等が着脱自在に装着されている。
【００２９】
前枠３の裏側には、前側から装着された遊技盤５の裏側を開閉自在に覆う開閉カバー３ａが着脱自在に装着されると共に、その上部側に遊技球タンク３８とタンクレール３９とが、左右方向一端側、例えばヒンジ４側に払い出し手段４０と払い出し通路４１とが夫々装着されており、遊技球が大入賞手段１７等の入賞口に入賞したとき、又は自動球貸し機４８（図３）から球貸し要求があったときに、遊技球タンク３８内の遊技球をタンクレール３９を経て払い出し手段４０により払い出し、その遊技球を払い出し通路４１を経て貯留皿９に案内するようになっている。
【００３０】
払い出し通路４１内には、皿満杯状態検出スイッチ（皿満杯状態検出手段）４２が設けられており、貯留皿９内に遊技球が満杯となったときにこれを検出するようになっている。
【００３１】
また、前枠３の裏側下部には、基板装着台４３が着脱自在に装着されており、この基板装着台４３の背面側に、電源基板４４が格納された電源基板ケース４５、払い出し制御基板４６が格納された払い出し基板ケース４７が夫々着脱自在に装着されている。
【００３２】
図３は本パチンコ機の制御系のブロック図である。図３において、主制御基板３２は、主に遊技盤５側の遊技動作に関わる制御を行うためのもので、ＣＰＵ、ＲＯＭ、ＲＡＭ等により構成される普通乱数発生手段５１、普通乱数取得手段５２、普通乱数記憶手段５３、普通図柄処理手段５４、普通利益状態発生手段５５、特別乱数発生手段５６、特別乱数取得手段５７、特別乱数記憶手段５８、特別図柄処理手段５９、特別利益状態発生手段６０、特別遊技状態発生手段６１、コマンド送受信手段６２等を備えている。
【００３３】
普通乱数発生手段５１は、変動後の普通図柄を当たり態様とするか否かの判定に用いる当たり判定用乱数、その他の所定の乱数を繰り返し発生するように構成されている。普通乱数取得手段５２は、普通図柄始動手段１５が遊技球を検出することを条件に普通乱数発生手段５１から当たり判定用乱数値を取得し、その当たり判定用乱数値を予め定められた上限保留個数（例えば４個）を限度として普通乱数記憶手段５３に記憶させるように構成されている。
【００３４】
普通図柄処理手段５４は、普通図柄の変動表示に関する処理を行うもので、普通図柄表示手段２２が変動表示可能な状態となり且つ普通乱数記憶手段５３に１個以上の当たり判定用乱数値が記憶されていること（普通保留個数が１以上であること）を条件に、普通乱数記憶手段５３に最も早く記憶された当たり判定用乱数値を取り出し、その当たり判定用乱数値が予め定められた当たり判定値と一致するか否かに応じて当たり／外れの判定を行う当たり判定機能、この当たり判定機能による当たり／外れの判定結果に基づいて普通図柄の変動後の停止図柄を選択する普通停止図柄選択機能、普通図柄の変動時間を選択する普通変動時間選択機能、普通図柄表示手段２２による普通図柄の変動表示を開始させると共に、普通変動時間選択機能により選択された変動時間が経過することに基づいて、普通停止図柄選択機能により選択された停止図柄で普通図柄の変動を停止させる普通図柄表示制御機能等を備えている。
【００３５】
普通利益状態発生手段５５は、普通図柄処理手段５４の当たり判定機能による判定結果が当たりとなり、普通図柄表示手段２２の変動後の停止図柄が当たり態様となったときに、特別図柄始動手段１６の開閉手段２９を例えば複数種類の開閉パターンの何れかに従って開状態に変化させるようになっている。
【００３６】
特別乱数発生手段５６は、変動後の特別図柄を大当たり態様とするか否かの判定に用いる大当たり判定用乱数、変動後の特別図柄が大当たり態様となる場合の停止図柄の選択に用いる大当たり図柄用乱数、その他の所定の乱数を繰り返し発生するようになっている。
【００３７】
特別乱数取得手段５７は、特別図柄始動手段１６が遊技球を検出することを条件に特別乱数発生手段５６から大当たり判定用乱数値と大当たり図柄用乱数値とを夫々１個取得し、特別乱数記憶手段５８は、特別乱数取得手段５７が取得したそれら各乱数値を、互いに関連付けた形で夫々所定の上限保留個数（例えば各４個）を限度として例えば取得順に記憶するようになっている。
【００３８】
特別図柄処理手段５９は、特別図柄の変動表示に関する処理を行うもので、特別図柄表示手段２３が変動表示可能な状態となり且つ特別乱数記憶手段５８に１個以上の大当たり判定用乱数値が記憶されていること（特別保留個数が１以上であること）を条件に、特別乱数記憶手段５８に最も早く記憶された大当たり判定用乱数値を取り出し、その大当たり判定用乱数値が予め定められた大当たり判定値と一致するか否かに応じて大当たり／外れの判定を行う大当たり判定機能、この大当たり判定機能による大当たり／外れの判定結果と、特別乱数記憶手段５８に大当たり判定用乱数値と共に記憶されている大当たり図柄用乱数値とに基づいて、特別図柄の変動後の停止図柄を選択する特別停止図柄選択機能、大当たり判定機能による大当たり／外れの判定結果に基づいて、複数種類の特別図柄変動パターンの中から１つを選択する特別図柄変動パターン選択機能、特別図柄表示手段２３による特別図柄の変動表示を開始させると共に、特別図柄変動パターン選択機能により選択された特別図柄変動パターンに対応する変動時間が経過することに基づいて、特別停止図柄選択機能により選択された停止図柄で特別図柄の変動を停止させる特別図柄表示制御機能等を備えている。
【００３９】
特別利益状態発生手段６０は、特別図柄処理手段５９による判定結果が大当たり判定となり、特別図柄表示手段２３の変動後の停止図柄が「７」等の大当たり態様となることに基づいて遊技者に有利となる特別利益状態（大当たり状態）を発生させるものである。特別利益状態では、大入賞手段１７の開放が所定ラウンド繰り返される。
【００４０】
特別遊技状態発生手段６１は、特別利益状態の発生後の所定期間に遊技者に有利な特別遊技状態、例えば時短遊技状態又は確変遊技状態を発生させるためのもので、特別図柄が大当たり態様となって特別利益状態が発生したときに、その特別利益状態の終了後、その大当たり態様の種類に応じて、例えば偶数図柄よりなる通常大当たり態様の場合には時短遊技状態を、奇数図柄よりなる特定大当たり態様の場合には確変遊技状態を、夫々発生させるようになっている。
【００４１】
時短遊技状態中は、特別図柄表示手段２３の変動時間が通常変動時間よりも短い短縮変動時間に切り換えられる他、普通図柄の変動時間が通常変動時間（例えば３０秒）から短縮変動時間（例えば５．１秒）へ、特別図柄始動手段１６の開閉手段２９の開閉パターンが通常開閉パターン（例えば０．２４８秒×１回開放）から特別開閉パターン（例えば２．７秒×２回開放）へ、夫々切り換えられるようになっている。
【００４２】
また、確変遊技状態中は、特別図柄が大当たり態様となる確率が通常確率（例えば１／３５０の低確率）から高確率（例えば１／３５）に切り換えられ、更に時短遊技状態と同様の処理が行われるようになっている。
【００４３】
コマンド送受信手段６２は、他の制御基板との間でコマンドの送受信を行うためのもので、特別図柄処理手段５９による特別図柄処理に基づいて、特別図柄変動パターンを指定すると共に特別図柄の変動開始を指示する特別図柄変動パターン指定コマンド、特別停止図柄を指定する特別停止図柄指定コマンド、特別図柄の停止を指定する変動停止指定コマンド等を演出制御基板３４側に送信する機能、特別利益状態（大当たり状態）の開始時に大当たり開始表示コマンドを、特別利益状態における各ラウンドの開始時にラウンド開始コマンドを、特別利益状態における各ラウンドの終了時にインターバルコマンドを、特別利益状態の終了時に大当たり終了コマンドを夫々演出制御基板３４側に送信する機能、特別遊技状態の発生時、終了時等の状態移行時に状態指定コマンドを演出制御基板３４側に送信する機能、大入賞手段１７等の各入賞手段への遊技球の入賞に基づいて払い出し制御基板４６側に払い出し指令コマンドを送信する機能、払い出し制御基板４６から皿満杯エラーコマンド、皿満杯エラー解除コマンドを受信することに基づいて演出制御基板３４側に皿満杯エラーコマンド、皿満杯エラー解除コマンドを送信する機能等を備えている。
【００４４】
なお、主制御基板３２から演出制御基板３４に送信される各種コマンドのうち、大当たり開始表示コマンド、ラウンド開始コマンド、インターバルコマンド等が、大当たり状態中に演出制御基板３４に送信される大当たり状態中コマンドであり、状態指定コマンド、特別図柄変動パターン指定コマンド、変動停止指定コマンド等が、大当たり状態以外の通常状態中に演出制御基板３４に送信される通常状態中コマンドである。
【００４５】
払い出し制御基板４６は、遊技球の払い出しを制御するもので、払い出し制御手段７１、皿満杯エラー判定手段７２等を備えると共に、払い出し手段４０、自動球貸し機４８、皿満杯状態検出スイッチ４２等が接続されている。
【００４６】
皿満杯エラー判定手段７２は、皿満杯状態検出スイッチ４２からの信号に基づいて皿満杯エラーを判定するもので、例えば皿満杯状態検出スイッチ４２のＯＦＦ信号を所定時間（例えば５００ｍｓ）継続的に検出した場合に、皿満杯エラーの発生を判定すると共に主制御基板３２に対して皿満杯エラーコマンドを送信し、例えば皿満杯状態検出スイッチ４２のＯＮ信号を所定時間（例えば１０００ｍｓ）継続的に検出した場合に、皿満杯エラーの解除を判定すると共に主制御基板３２に対して皿満杯エラー解除コマンドを送信するように構成されている。
【００４７】
払い出し制御手段７１は、払い出し手段４０の動作を制御するもので、主制御基板３２からの払い出し指令コマンド及び自動球貸し機４８からの払い出し信号に基づいて払い出し手段４０を所定ステップ作動させることにより所定個数の遊技球を払い出させ、また皿満杯エラー判定手段７２により皿満杯エラーと判定されてからそれが解除されるまでの間は、払い出し手段４０の作動を停止させて払い出しを待機させるように構成されている。
【００４８】
演出制御基板３４は、液晶表示手段２０、ランプ手段７３，音声出力手段７４等の各種演出手段を制御するためのもので、液晶表示制御手段７５、ランプ制御手段７６、音声出力制御手段７７、エラー報知制御手段７８等を備えると共に、液晶表示手段２０、ランプ手段７３，音声出力手段７４等が接続されている。
【００４９】
液晶表示制御手段７５は、液晶表示手段２０の表示制御を行うもので、演出図柄表示制御手段７９等を備えている。演出図柄表示制御手段７９は、演出図柄表示手段２１の表示制御を行うもので、主制御基板３２側から特別図柄変動パターン指定コマンドを受信した場合に、指定された特別図柄変動パターンに基づいて演出図柄表示手段２１により演出図柄の変動を開始させると共に、変動停止指定コマンドを受信したときに、特別停止図柄指定コマンドと特別図柄変動パターン指定コマンドとに基づいて選択された停止図柄で演出図柄の変動を停止させるようになっている。
【００５０】
ランプ制御手段７６はランプ手段７３等の表示制御を行うもので、主制御基板３２側から送信される特別図柄変動パターン指定コマンド、その他のランプ制御コマンド等に基づいてランプ手段７３等を所定のパターンで発光させるようになっている。
【００５１】
音声出力制御手段７７はスピーカー等の音声出力手段７４等の音声出力制御を行うもので、主制御基板３２側から送信される特別図柄変動パターン指定コマンド、その他の音声制御コマンドに基づいて音声出力手段７４から所定の効果音等を出力させるようになっている。
【００５２】
エラー報知制御手段７８は、各種エラー発生に対する報知制御を行うもので、皿満杯エラー報知制御手段８０等を備えている。皿満杯エラー報知制御手段８０は、視覚的報知手段の一例としての液晶表示手段２０と聴覚的報知手段の一例としての音声出力手段７４とを用いた皿満杯エラー報知の制御を行うもので、状態管理処理手段８０ａ、エラーシナリオ管理処理手段８０ｂ等を備えている。
【００５３】
状態管理処理手段８０ａは、主制御基板３２側からのコマンドに基づいて大当たり状態中であるかそれ以外の通常状態中であるかを判定するもので、例えば所定時間毎の定期割込において図４に示す状態管理処理を実行するように構成されている。
【００５４】
状態管理処理手段８０ａによる状態管理処理（図４）は例えば次のような手順で行われる。即ち、まず主制御基板３２から大当たり状態中コマンド（大当たり開始表示コマンド、ラウンド開始コマンド、インターバルコマンド等）のうちの何れかを受信したか否かが判断され（Ｓ１）、大当たり状態中コマンドのうちの何れかを受信した場合には、大当たり状態中フラグに大当たり状態中を示す「１」がセットされ（Ｓ２）、状態管理処理は終了する。
【００５５】
一方、大当たり状態中コマンドのうちの何れも受信していない場合には、通常状態中コマンド（状態指定コマンド、特別図柄変動パターン指定コマンド、変動停止指定コマンド等）のうちの何れかを受信したか否かが判断され（Ｓ３）、通常状態中コマンドのうちの何れかを受信した場合には、大当たり状態中フラグに通常状態中を示す「０」がセットされ（Ｓ４）、状態管理処理は終了する。
【００５６】
エラーシナリオ管理処理手段８０ｂは、主制御基板３２からのコマンド等に基づいて皿満杯エラー報知用のエラーシナリオを選択するもので、例えば所定時間毎の定期割込において図５に示すエラーシナリオ管理処理を実行するように構成されている。
【００５７】
エラーシナリオ管理処理手段８０ｂによるエラーシナリオ管理処理（図５）は例えば次のような手順で行われる。即ち、まず主制御基板３２から皿満杯エラーコマンドを受信したか否かが判断される（Ｓ１１）。ここで、皿満杯エラーコマンドを受信した場合には、大当たり状態中フラグが１（大当たり状態中）であればエラーシナリオＡが（Ｓ１２→Ｓ１３）、大当たり状態中フラグが０（通常状態中）であればエラーシナリオＢが（Ｓ１２→Ｓ１４）、夫々選択され、エラーシナリオ管理処理は終了する。
【００５８】
一方、皿満杯エラーコマンドを受信していない場合には、皿満杯エラー解除コマンドを受信したか否かが判断され（Ｓ１５）、皿満杯エラー解除コマンドを受信していない場合にはそのまま、皿満杯エラー解除コマンドを受信した場合にはエラーシナリオがクリアされた上で（Ｓ１６）、エラーシナリオ管理処理は終了する。
【００５９】
そして、皿満杯エラー報知制御手段８０は、エラーシナリオ管理処理手段８０ｂにより何れかのエラーシナリオが選択された場合には、そのエラーシナリオに基づいて、液晶表示制御手段７５、音声出力制御手段７７を介して液晶表示手段２０、音声出力手段７４による皿満杯エラーの報知を開始し、エラーシナリオが解除された時点でその皿満杯エラーの報知を停止させるように構成されている。
【００６０】
ここで、大当たり状態中に選択されるエラーシナリオＡでは、図６（ａ）に示すように、液晶表示手段２０による報知を皿満杯エラーの発生と略同時に開始させ、音声出力手段７４による報知は皿満杯エラーの発生後から所定時間経過後（例えば３０秒後）に開始させるように設定されている。
【００６１】
一方、通常状態中に選択されるエラーシナリオＢでは、図６（ｂ）に示すように、液晶表示手段２０による報知を皿満杯エラーの発生と略同時に開始させ、音声出力手段７４による報知は行わないように設定されている。
【００６２】
このように、通常状態中は、皿満杯エラーが発生してもそれを知らせる警告音等は鳴らず、液晶表示手段２０上にエラー表示がされるのみであるため、遊技者を必要以上に不快にさせることはない。また、例えばいわゆる一円パチンコの場合でも、貸し球の払い出しによって皿満杯エラーの警告音が頻発することがなく、当該遊技者や周囲の遊技者は気分よく遊技を行うことができる。
【００６３】
また、エラー報知制御手段７８は、複数種類の大当たり状態中コマンドの何れかを受信したときに通常状態から大当たり状態へ移行したと判断し、複数種類の通常状態中コマンドの何れかを受信したときに大当たり状態から通常状態へ移行したと判断するように構成されているため、ノイズの影響等によってコマンドが欠落した場合や停電等からの通電復帰時等においても状態判断を正しく行うことが可能である。
【００６４】
図７は本発明の第２の実施形態を例示し、通常状態中は大当たり状態中よりも聴覚的報知手段による報知開始時期を遅らせるように構成した例を示している。
【００６５】
図７に示すように、本実施形態では、通常状態中に選択されるエラーシナリオＢ′において、音声出力手段７４による報知開始のタイミングを、大当たり状態中に選択されるエラーシナリオＡにおける音声出力手段７４による報知開始のタイミング（例えば皿満杯エラー発生から３０秒後）よりも所定時間（例えば３０秒）遅らせるように設定されている。
【００６６】
このように、通常状態中における聴覚的報知手段による報知開始時期を大当たり状態中よりも遅らせるようにすれば、聴覚的報知手段による報知が開始するまでに皿満杯エラーが自然に解消される可能性が高くなり、通常状態中における警告音等の発生を抑制することができる。
【００６７】
図８は本発明の第３の実施形態を例示し、通常状態中は大当たり状態中よりも聴覚的報知手段の音量を小さく設定した例を示している。
【００６８】
図８に示すように、本実施形態では、通常状態中に選択されるエラーシナリオＢ″において、音声出力手段７４による音量が、大当たり状態中に選択されるエラーシナリオＡ′における音声出力手段７４による音量よりも小さく設定されている。
【００６９】
このように、通常状態中における聴覚的報知手段の音量を大当たり状態中よりも小さくすれば、通常状態中に皿満杯エラーが発生してその警告音が鳴っても遊技者を必要以上に不快にさせることはない。
【００７０】
なお、本実施形態では、大当たり状態中に選択されるエラーシナリオＡ′、通常状態中に選択されるエラーシナリオＢ″共に、音声出力手段７４による警告開始のタイミングを皿満杯エラー発生と略同時に設定したが、エラーシナリオＡ′，Ｂ″共に音声出力手段７４による警告開始のタイミングを皿満杯エラー発生から所定時間遅らせてもよいし、エラーシナリオＢ″における音声出力手段７４による警告開始のタイミングをエラーシナリオＡ′よりも遅らせてもよい。
【００７１】
図９は本発明の第４の実施形態を例示し、通常状態中であっても、大当たり状態の終了から所定時間経過するまでは皿満杯エラーについて大当たり状態中と同様の報知を行うように構成した例を示している。
【００７２】
図９に示すように、本実施形態では、状態管理処理手段８０ａによる状態管理処理において、Ｓ３で通常状態中コマンドを受信したと判断した場合でも、大当たり状態終了から所定時間（例えば６０秒）経過していない場合には、大当たり状態中フラグを０に更新しないように構成されている（Ｓ３ａ）。
【００７３】
これにより、大当たり状態が終了しても、それから所定時間経過するまでは、皿満杯エラーについて大当たり状態中と同様の報知が行われる。従って、大当たり状態が終了してもその大当たり状態中の入賞に関する払い出しが継続している場合に、その払い出しによる皿満杯エラーについては大当たり状態中と同様の方法で遊技者に確実に報知することができる。
【００７４】
図１０は本発明の第５の実施形態を例示し、通常状態中であっても、払い出し手段４０による未払い出し個数が所定個数を超えている場合には、皿満杯エラーについて大当たり状態中と同様の報知を行うように構成した例を示している。
【００７５】
図１０に示すように、本実施形態では、エラーシナリオ管理処理手段８０ｂによるエラーシナリオ管理処理において、Ｓ１２で大当たり状態中フラグが０（通常状態中）であると判断された場合でも、払い出し手段４０による未払い出し個数が所定個数（例えば３００個）を超えている場合には（Ｓ１２ａ）、Ｓ１２で大当たり状態中フラグが１（大当たり状態中）であると判断された場合と同様、エラーシナリオＡを選択する（Ｓ１３）ように構成されている。
【００７６】
これにより、通常状態中であっても、未払い出し個数が多い場合には皿満杯エラーについて大当たり状態中と同様の方法で遊技者に確実に報知することができる。
【００７７】
以上、本発明の実施形態について詳述したが、本発明はこれらの実施形態に限定されるものではなく、本発明の趣旨を逸脱しない範囲で種々の変更が可能である。例えば、実施形態では通常状態中に聴覚的報知手段による報知のみを抑制した例を示したが、聴覚的報知手段による報知だけでなく視覚的報知手段による報知も大当たり状態中よりも抑制するように構成してもよい。例えば、通常状態中は視覚的報知手段による皿満杯エラーの報知を皿満杯エラー開始時点よりも遅らせて開始させるようにしてもよい。
【００７８】
通常状態中の聴覚的報知は、その開始から所定時間経過後に停止するようにしてもよい。例えば大当たり状態中は「受け皿の球を抜いてください」等の音声を繰り返し出力し、通常状態中は同様の音声を１回のみ出力するようにしてもよい。この場合、その音量も大当たり状態中よりも小さくしてもよい。また、この場合の聴覚的報知を開始するタイミングは、皿満杯エラーの発生と略同時でもよいし、所定時間経過後等でもよい。
【００７９】
実施形態では視覚的報知手段として液晶表示手段２０のみを用いたが、液晶表示手段２０以外の画像表示手段やランプ手段７３等を皿満杯エラー用の視覚的報知手段として用いてもよい。
【００８０】
なお、実施形態ではパチンコ機について例示したが、アレンジボール機、雀球遊技機等の他の弾球遊技機でも同様に実施可能であることはいうまでもない。
【符号の説明】
【００８１】
９  貯留皿
１７  大入賞手段（開閉式入賞手段）
２０  液晶表示手段（視覚的報知手段、皿満杯エラー報知手段）
３２  主制御基板
３４  演出制御基板
４０  払い出し手段
４２  皿満杯状態検出スイッチ（皿満杯状態検出手段）
７４  音声出力手段（聴覚的報知手段、皿満杯エラー報知手段）
８０  皿満杯エラー報知制御手段（報知制御手段）
【図１】
0005702823.tif 000002
【図２】
0005702823.tif 000003
【図３】
0005702823.tif 000004
【図４】
0005702823.tif 000005
【図５】
0005702823.tif 000006
【図６】
0005702823.tif 000007
【図７】
0005702823.tif 000008
【図８】
0005702823.tif 000009
【図９】
0005702823.tif 000010
【図１０】
0005702823.tif 000011